(57)【要約】【課題】  小型で安価な放電灯点灯装置を提供する。【解決手段】  直流電源１から供給される直流を高周波電流に変換する２つのスイッチング素子２、３を有するハーフブリッジ回路からなるインバータ回路、インバータ回路からの高周波電流により放電灯６、１０を点灯させる放電灯負荷回路Ｌ１、Ｌ２、放電灯負荷回路Ｌ１、Ｌ２のチョークコイル５、９に設けた２次巻線５ｂ、９ｂに発生する電圧をピーク間検出するピーク間電圧検出回路Ｐ１、Ｐ２、このピーク間電圧検出回路Ｐ１、Ｐ２で検出されたピーク間検出電圧を制御電圧として放電灯６、１０のフィラメントを流れる電流を制御する予熱タイマー回路Ｔ１０及びピーク間電圧検出回路Ｐ１、Ｐ２で検出されたピーク間検出電圧が予め定めた値を越えたときに、インバータ回路のスイッチング素子２、３の発振を停止させる保護回路Ｈ１を備える。【選択図】        図１
2005116454.tif 000002
【特許請求の範囲】
【請求項１】
直流電源と、この直流電源から供給される直流を高周波電流に変換する２つのスイッチング素子を有するハーフブリッジ回路からなるインバータ回路と、チョークコイル、このチョークコイルに放電灯を介して接続されたカップリングコンデンサの直列回路を有し、上記インバータ回路からの高周波電流により放電灯を点灯させる放電灯負荷回路とを備えた放電灯点灯装置において、
上記放電灯負荷回路の前記チョークコイルに設けた２次巻線に発生する電圧をピーク間検出するピーク間電圧検出回路と、
このピーク間電圧検出回路で検出されたピーク間検出電圧を制御電圧として電源投入時から上記放電灯の始動点灯に亘る期間、上記放電灯のフィラメントを流れる電流を制御する予熱タイマー回路と、
上記ピーク間電圧検出回路で検出されたピーク間検出電圧が予め定めた値を越えたときに、上記インバータ回路の上記スイッチング素子の発振を停止し、この発振停止状態を保持する保護回路と、
を備えたことを特徴とする放電灯点灯装置。
【請求項２】
直流電源と、この直流電源から供給される直流を高周波電流に変換する２つのスイッチング素子を有するハーフブリッジ回路からなるインバータ回路と、チョークコイル、このチョークコイルに放電灯を介して接続されたカップリングコンデンサの直列回路を有し、上記インバータ回路からの高周波電流により放電灯を点灯させる複数の放電灯負荷回路とを備えた放電灯点灯装置において、
上記放電灯負荷回路の前記チョークコイルに各々設けた２次巻線に発生する電圧を各々ピーク間検出するピーク間電圧検出回路と、
このピーク間電圧検出回路で検出されたピーク間検出電圧をワイヤードオアした電圧を制御電圧として電源投入時から上記放電灯の始動点灯に亘る期間、上記放電灯のフィラメントを流れる電流を制御する予熱タイマー回路と、
上記ピーク間電圧検出回路で検出されたピーク間検出電圧をワイヤードオアした電圧が予め定めた値を越えたときに、上記インバータ回路の上記スイッチング素子の発振を停止し、この発振停止状態を保持する保護回路と、
を備えたことを特徴とする放電灯点灯装置。
【請求項３】
カップリングコンデンサと放電灯の接続点にカソードが接続され、アノードが直流電源の負極に接続されたダイオードと、
上記カップリングコンデンサと上記放電灯の接続点にアノードが接続され、カソードが上記直流電源の正極に接続されたダイオードと、を備えたことを特徴とする請求項１又は２記載の放電灯点灯装置。
【発明の詳細な説明】
【技術分野】
【０００１】
この発明は、自励式インバータ回路からの高周波電力によって放電灯を点灯させる放電灯の点灯装置に係り、特に、フィラメントの予熱タイマー回路及び放電灯の寿命末期による異常から回路を保護する保護回路を備えた放電灯点灯装置に関するものである。
【背景技術】
【０００２】
放電灯のフィラメントの予熱タイマー回路に関する従来技術においては、放電ランプの始動に際して、インバータ回路のトランジスタの発振周波数を通常の点灯時より高くし出力電圧を低くする。発振周波数を高くする際には、トランジスタをオンして、出力制御手段の制御巻線の負荷を小さくする。始動の際には、放電ランプの電圧を、ランプ電圧検出手段で検出し、時定数回路で積分する。コンデンサに蓄積される電荷がツェナーダイオードで設定する電圧より上昇すると、ツェナーダイオードがオンする。通常時の電圧となるように、トランジスタをオフして、制御巻線の負荷を大きくして、出力制御手段でインバータ回路のトランジスタの発振周波数を低くし、出力電圧を増加するようにしている。
（例えば特許文献１）
【０００３】
また、放電灯の寿命末期の異常に対して回路を保護する保護回路に関する従来技術においては、交流電源を整流平滑する整流平滑回路と、整流平滑回路の出力端間に接続された２つのスイッチング素子の直列回路及び、スイッチング素子の両端に接続された電流トランス等からなる負荷回路を含んでなる自励式インバータ回路と、電流トランスの２次巻線に発生する電流により充電される平滑コンデンサと、平滑コンデンサの両端電圧を監視するツェナーダイオードとを有する寿命末期検出回路と、異常状態が検出されるとインバータ回路の出力抑制状態を保持する寿命末期保持回路とからなるようにしている。（例えば特許文献２）
【０００４】
【特許文献１】特開平５−８２２７０号公報（段落００３０−００３６、図１）
【特許文献２】特開２００１−９３６９０号公報（段落００２６−００３３、図１〜３）
【発明の開示】
【発明が解決しようとする課題】
【０００５】
特許文献１の図１の発明の実施の形態を示す回路図によれば、予熱時と点灯時のインバータ回路（特許文献１では放電ランプ点灯手段）の発振周波数の制御は出力制御手段のトランジスタをオンまたはオフして制御巻線の負荷を小さく、または、大きくすることで行われる。しかしながら、負荷回路に複数の放電灯を装着可能なようにする場合には、電流トランスには複数の放電灯の合成電流が流れることになり、電流トランスと電磁気的に結合されている電圧も複数の放電灯の合成電流の影響を受けることになる。特に、負荷回路に複数の放電灯を装着可能なようにする場合で、かつ、全数の放電灯を装着しなくても点灯できるようにする、いわゆる間引き点灯が可能な点灯装置の場合は、１灯装着の場合と複数灯装着の場合で出力制御手段の回路定数が同一では対応出来ない問題があった。
【０００６】
特許文献２の図１、図２の発明の実施の形態を示す回路図によれば、放電灯の正常と寿命末期の電流を識別検出するための信号を負荷回路に接続した電流トランスの２次巻線に発生する電流により充電される平滑コンデンサの電圧としている。しかしながら、負荷回路に複数の放電灯を装着可能なようにする場合には、コンデンサＣ５の電圧は複数の放電灯の合成電流から得られる検出信号となるため確実な寿命末期検出が困難な問題があった。特に、負荷回路に複数の放電灯を装着可能なようにする場合で、かつ、全数の放電灯を装着しなくても点灯できるようにする、いわゆる間引き点灯が可能な点灯装置の場合は、正常な負荷電流値が一定ではないので特許文献２の方式では対応できない問題があった。
【０００７】
また、放電灯のフィラメント予熱タイマー回路と寿命末期の保護回路とは、独立した別個の回路で構成されているため、形状が大きく高価になる問題があった。
【０００８】
この発明は、従来装置の上記のような課題を解決するためになされたもので、この発明の第１の目的は、電源投入時に放電灯のフィラメントを一定期間予熱をするフィラメント予熱タイマー回路と、放電灯の寿命末期時に放電灯点灯装置を停止させる保護回路の一部を共用した小型で安価な放電灯点灯装置を提供することを目的とする。
【０００９】
また、この発明の第２の目的は、複数の放電灯の内、何れかを抜去しても、全ての放電灯が装着されている場合と同一の検出条件で寿命末期の検出ができる放電灯点灯装置を提供することを目的とする。
【課題を解決するための手段】
【００１０】
この発明にかかる放電灯点灯装置は、直流電源と、この直流電源から供給される直流を高周波電流に変換する２つのスイッチング素子を有するハーフブリッジ回路からなるインバータ回路と、チョークコイル、このチョークコイルに放電灯を介して接続されたカップリングコンデンサの直列回路を有し、上記インバータ回路からの高周波電流により放電灯を点灯させる放電灯負荷回路とを備えた放電灯点灯装置において、上記放電灯負荷回路の前記チョークコイルに設けた２次巻線に発生する電圧をピーク間検出するピーク間電圧検出回路と、このピーク間電圧検出回路で検出されたピーク間検出電圧（ｐｅａｋ  ｔｏ  ｐｅａｋ検出電圧）を制御電圧として電源投入時から上記放電灯の始動点灯に亘る期間、上記放電灯のフィラメントを流れる電流を制御する予熱タイマー回路と、上記ピーク間電圧検出回路で検出されたピーク間検出電圧が予め定めた値を越えたときに、上記インバータ回路の上記スイッチング素子の発振を停止し、この発振停止状態を保持する保護回路と、を備えたものである。
【発明の効果】
【００１１】
この発明は、直流電源と、この直流電源から供給される直流を高周波電流に変換する２つのスイッチング素子を有するハーフブリッジ回路からなるインバータ回路と、チョークコイル、このチョークコイルに放電灯を介して接続されたカップリングコンデンサの直列回路を有し、上記インバータ回路からの高周波電流により放電灯を点灯させる放電灯負荷回路とを備えた放電灯点灯装置において、上記放電灯負荷回路の前記チョークコイルに設けた２次巻線に発生する電圧をピーク間検出するピーク間電圧検出回路と、このピーク間電圧検出回路で検出されたピーク間検出電圧を制御電圧として電源投入時から上記放電灯の始動点灯に亘る期間、上記放電灯のフィラメントを流れる電流を制御する予熱タイマー回路と、上記ピーク間電圧検出回路で検出されたピーク間検出電圧が予め定めた値を越えたときに、上記インバータ回路の上記スイッチング素子の発振を停止し、この発振停止状態を保持する保護回路と、を備えたので、小型で安価にすることができる。
【発明を実施するための最良の形態】
【００１２】
実施の形態
図１は、この発明の実施の形態を示す放電灯点灯装置の回路図、図２はこの発明の実施の形態の動作特性説明図である。
図１において、直流電源１は、例えば、商用電源をダイオードブリッジで整流後電解コンデンサで平滑して得られる。ＭＯＳＦＥＴからなるスイッチング素子である２、３の直列回路は直流電源１に接続されインバータ回路を構成する。
【００１３】
放電灯負荷回路Ｌ１（一点鎖線で図示）においては、チョークコイル５、このチョークコイル５に放電灯６を介して接続されたカップリングコンデンサ８が直列に接続され、これらの直列回路はスイッチング素子３に並列に接続され、放電灯６にはコンデンサ７が並列に接続される。ダイオード１７のアノードは直流電源１の負極に、カソードはカップリングコンデンサ８と放電灯６の接続点に接続される。ダイオード１８のアノードはダイオード１７のカソードに、カソードは直流電源１の正極に接続される。
【００１４】
放電灯負荷回路Ｌ２は、放電灯負荷回路Ｌ１と同一構成であり、チョークコイル９、放電灯１０、カップリングコンデンサ１２は直列に接続され、これらの直列回路はスイッチング素子３に並列に接続され、放電灯１０にはコンデンサ１１が並列に接続される。ダイオード１９のアノードは直流電源１の負極に、カソードはカップリングコンデンサ１２と放電灯１１の接続点に接続される。ダイオード２０のアノードはダイオード１９のカソードに、カソードは直流電源１の正極に接続される。
【００１５】
なお、各放電灯６、１０の正常点灯時に、ダイオード１７、１８及び１９、２０を介して各半サイクルにおいて交互に電源１に電流が流れるように各カップリングコンデンサ８、１２の容量値を定めている。
【００１６】
各放電灯負荷回路Ｌ１、Ｌ２のチョークコイル５、９には、各々２つの２次巻線５ａ、５ｂ及び９ａ、９ｂを設け、２次巻線５ａ、５ｂ及び９ａ、９ｂは図示・印の極性でスイッチング素子２及び３を交互にＯＮ／ＯＦＦ駆動するように抵抗１３、１５及び抵抗１４、１６を介してゲート・ソース間に接続される（チョークコイル５及び９の１次巻線と２次巻線の結合を表すため、一点鎖線及び破線で図示してある）。なお、スイッチング素子２、３のドレイン・ソース間に並列に内蔵される等価ダイオードとインバータ回路を起動するための起動回路は図示を省略している。また、ここで放電灯６と放電灯１０が同一定格出力の場合は、各放電灯負荷回路Ｌ１、Ｌ２の回路定数を等しく選択する。また、放電灯６と放電灯１０の定格出力が異なる場合は、各放電灯負荷回路Ｌ１、Ｌ２の点灯時の共振周波数が概略等しく、また、点灯時の各チョークコイルの２次巻線電圧が概略等しくなるように設定する。
【００１７】
放電灯負荷回路Ｌ１のチョークコイル５に設けた２次巻線５ｂに発生する電圧をピーク間検出（Ｐｅａｋ  ｔｏ  Ｐｅａｋ検出）するピーク間電圧検出回路Ｐ１（破線で図示）においては、コンデンサ２１、２２は直列に接続され、コンデンサ２２の他端は直流電源１の負極に、コンデンサ２１の他端はチョークコイル５の２次巻５ｂと抵抗１３の接続点に接続される。ダイオード２３のアノードは直流電源１の負極に、カソードはコンデンサ２１とコンデンサ２２の接続点に接続される。ダイオード２４のアノードはダイオード２３のカソードに、カソードはコンデンサ２９に接続される。コンデンサ２９の他端は直流電源１の負極に接続される。
【００１８】
このピーク間電圧検出回路Ｐ１では、チョークコイル５の２次巻線５ｂに発生する電圧のピーク間電圧（ｐｅａｋ  ｔｏ  ｐｅａｋ電圧）がコンデンサ２１とコンデンサ２２の静電容量値の逆比でダイオード２４のアノード電圧、即ち、コンデンサ２９の電圧として得られる。
【００１９】
放電灯負荷回路Ｌ２のチョークコイル９に設けた２次巻線９ｂに発生する電圧をピーク間検出するピーク間電圧検出回路Ｐ２においては、コンデンサ２５、２６は直列に接続され、コンデンサ２６の他端は直流電源１の負極にコンデンサ２５他端はチョークコイル９の２次巻線９ｂと抵抗１５の接続点に接続される。ダイオード２７のアノードは直流電源１の負極に、カソードはコンデンサ２５とコンデンサ２６の接続点に接続される。ダイオード２８のアノードはダイオード２７のカソードに、カソードはダイオード２４のカソードに接続される。
【００２０】
このピーク間電圧検出回路Ｐ２では、チョークコイル９の２次巻線９ｂに発生する電圧のピーク電圧を、コンデンサ２５とコンデンサ２６の静電容量値の逆比でダイオード２８のアノード電圧、即ち、コンデンサ２９の電圧として得られる。
そして、コンデンサ２９には、ピーク間電圧検出回路Ｐ１、Ｐ２の内、高い方の出力電圧が得られる。
【００２１】
抵抗３０の一端はダイオード２８のカソードに、他端はコンデンサ３１に接続され、コンデンサ３１の他端は直流電源の負極に接続される。
抵抗３０とコンデンサ３１はコンデンサ２９に得られるピーク検出電圧を積分する回路であり、コンデンサ３１の電圧は、後述する予熱タイマー回路Ｔ１０及び保護回路Ｈ１の共通の入力信号となる。
【００２２】
直流電源１の投入時から一定時間放電灯６、１０のフィラメントに流れる電流を制御する予熱タイマー回路Ｔ１０においては、抵抗３３、抵抗３２は直列に接続され、一端は抵抗３０とコンデンサ３１の接続点に、他端は直流電源１の負極に接続される。トランジスタ３４のベースは抵抗３３、抵抗３２の接続点に、エミッタは直流電源１の負極に、コレクタは抵抗３５と抵抗３６の接続点に接続される。抵抗３５の他端は２次巻線５ｂと抵抗１３の接続点に、抵抗３６の他端は２次巻線９ｂと抵抗１５の接続点に接続される。ダイオード３７のアノードは直流電源１の負極に、カソードはトランジスタ３４のコレクタに接続される。コンデンサ３８はダイオード３７と並列に接続される。トランジスタ３９は、ベースがトランジスタ３４のコレクタに、エミッタは直流電源１の負極に、コレクタは抵抗４０の一端に接続される。
予熱タイマー回路Ｔ１０の抵抗４０の他端は、ダイオード４５のカソードに接続され、ダイオード４５のアノードはＭＯＳＦＥＴ３のゲートに接続される。
【００２３】
放電灯６、１０の寿命末期時にインバータ回路の発振を停止し放電灯負荷回路Ｌ１、Ｌ２への電力の供給を停止するとともに、直流電源１が遮断されるまでその状態を保持する保護回路Ｈ１においては、ツェナーダイオード４１はそのカソードが抵抗３０とコンデンサ３１の接続点に接続され、アノードは抵抗４２を介して直流電源１の負極に接続される。サイリスタ４３のカソードは直流電源１の負極に、ゲートはツェナーダイオード４１のアノードに、アノードはダイオード４５のカソードに接続される。抵抗４４は、一端はサイリスタ４３のアノードに、他端は直流電源１の正極に接続される。
【００２４】
次に、この発明の実施の形態を示す放電灯点灯装置の動作を図１、図２により説明する。図２（５）は時間ｔ＝ｔ０で直流電源１が投入された以降のコンデンサ３１の電圧波形を示している。図２（１）の（ａ）乃至（４）の（ａ）はｔ＝ｔ０からｔ＝ｔ１に至る予熱時間Ｔ１期間内の図１各部の動作波形を示し、（１）の（ａ）は２次巻線５ｂ又は及び９ｂの電圧を、（２）の（ａ）はトランジスタ３４のコレクタ・エミッタ間電圧ＶＣＥを（３）の（ａ）はトランジスタ３９のコレクタ・エミッタ間電圧ＶＣＥを、（４）の（ａ）はスイッチング素子（ＭＯＳＦＥＴ）３のゲート・ソース間電圧を示している。また、（１）の（ｂ）乃至（４）の（ｂ）は波形はそれぞれ（１）の（ａ）乃至（４）の（ａ）に対応する時間ｔ＝ｔ１以降の放電灯６、１０の正常点灯時の波形を示している。
【００２５】
図１において、時間ｔ＝ｔ０で直流電源１が投入されると、図示を省略している起動回路によってスイッチング素子２、３は交互に高周波数で駆動される。チョークコイル５及び９の２次巻線５ｂ及び９Ｂに発生した電圧はピーク間電圧検出回路Ｐ１、Ｐ２で検出され、コンデンサ２９には、ピーク間電圧検出回路Ｐ１、Ｐ２２の内、高い方の出力電圧が得られる。そして、コンデンサ２９に得られたピーク検出電圧は  抵抗３０とコンデンサ３１の積分回路で積分され、コンデンサ３１に充電された電圧は、予熱タイマー回路Ｔ１０及び保護回路Ｈ１の共通の入力信号となる。
【００２６】
予熱タイマー回路Ｔ１０において、コンデンサ３１の電圧が下記の（１）式を満足する予熱タイマ期間Ｔ１の間はトランジスタ３４はＯＦＦとなる。
ＶＣ31×Ｒ３２／（Ｒ３２＋Ｒ３３）＜ＶＢＥ（ＴＲ３４）…（１）
ただし、上記（１）式の記号は以下を示す。
ＶＣ31：コンデンサ３１の電圧
Ｒ３２：抵抗３２の抵抗値    
Ｒ３３：抵抗３３の抵抗値
ＶＢＥ（ＴＲ３４）：トランジスタ３４のベース・エミッタ間閾値電圧（概略０．６Ｖ）
トランジスタ３４がＯＦＦの期間中はトランジスタ３４のコレクタ・エミッタ間電圧は図（２）の（ａ）に示す波形になる。即ち、トランジスタ３４のベース・エミッタ間電圧は上記（２）の（ａ）の波形になるので、（３）の（ａ）に示すようにトランジスタ３９はＴａの期間ＯＦＦした後、Ｔｂの期間ＯＮになる。
このように、発振周波数の各駆動サイクル毎に予め定めたＴｂの期間スイッチング素子３を確実にＯＮさせた後ゲート電流をバイバスしてＯＦＦに転じさせている。
【００２７】
トランジスタ３９がＯＮになると、スイッチング素子（ＭＯＳＦＥＴ）３は（４）の（ａ）に示すように、そのゲート電流がダイオード４５、抵抗４０、トランジスタ３９の経路でバイパスされるためＯＮが維持できなくなり、Ｔｂの期間ＯＮした後ＯＦＦに転ずる。Ｔａ＋Ｔｂの期間はスイッチング素子３のゲート電流をトランジスタ３９を介してバイパスしない場合に比べて短くなる。即ち、Ｔ１の予熱期間中のインバータ回路の発振周波数ｆＰＨは、時間ｔ１以降の期間の発振周波数ｆＯＰに比べ高くなる。ここで、放電灯負荷回路の共振の鋭さ（Ｑ）を、発振周波数ｆＰＨに対して小さく、発振周波数ｆＯＰに対して大きくなるように設定すれば、予熱期間中（発振周波数ｆＰＨで動作）に直流電源１から放電灯負荷回路に流入する電流を正常点灯時（発振周波数ｆＯＰで動作）に比べて小さく制御できる。
【００２８】
ここで、放電灯６、１０に並列に接続されたコンデンサ７、１１の容量値を適当に選定すれば、放電灯６、１０のフィラメントを介して流れる電流（フィラメント予熱電流）によってコンデンサ７、１１に発生する電圧を放電灯６、１０の始動開始に必要な電圧以下にすることができ、予熱タイマ期間Ｔ１の期間では放電灯６、１０は点灯しない。次に時間が進んで時間ｔ＝ｔ１になれば、コンデンサ３１の電圧は以下の（２）式を満足する。
ＶＣ31-1×Ｒ３２／（Ｒ３２＋Ｒ３３）＝ＶＢＥ（ＴＲ３４）…（２）
ただし、上記（２）式の記号は以下を示す。
ＶＣ31-1：コンデンサ３１の電圧ＶＣ31のｔ＝ｔ１における電圧
【００２９】
ｔ＝ｔ１以降の期間はトランジスタ３４はＯＮ、トランジスタ３９はＯＦＦとなり、インバータ回路の発振周波数はｆＰＨからｆＯＰに低くなる。従って、前述の説明のように、放電灯負荷回路の共振の鋭さ（Ｑ）はｆＯＰで大きくなるので、直流電源１から放電灯負荷回路に流れる電流は増大し、コンデンサ７、１１の電圧は増大し放電灯６、１０は点灯に至る。放電灯６、１０が点灯すれば、コンデンサ７、１１には並列に放電灯６、１０の等価抵抗が接続されたことになるので放電灯負荷回路の共振の鋭さは小さくなり、放電灯６、１０には放電灯負荷回路の回路定数と発振周波数ｆＯＰで定まる電流が流れ放電は以降安定的に継続される。
【００３０】
次に、保護回路Ｈ１においては、放電灯６、１０が点灯してから、例えば放電灯６が時間ｔ＝ｔ２でフィラメントの放電物質の消耗などで寿命末期になれば、放電灯６の両端電圧は正常点灯時より上昇し、チョークコイル５の両端電圧も上昇する。その電圧の変化はチョークコイル５の２次巻線５ｂに設けたピーク間電圧検出回路Ｐ１で検出されコンデンサ３１の電圧も上昇する。また、保護回路Ｈ１のツェナーダイオード４１、抵抗４２を適当に選定して、サイリスタ４３が放電灯６が正常点灯している時にコンデンサ３１に得られる電圧ＶＣ31ー2ではＯＮせず、放電灯６の寿命末期で放電灯６の電圧が上昇した場合にコンデンサ３１に得られる電圧ＶＣ31-3によってＯＮするようにする。
【００３１】
時間ｔ＝ｔ３でサイリスタ４３がＯＮすれば、チョークコイルの２次巻線から抵抗１３及び１５を介してスイッチング素子３のゲート流れる電流がダイオード４５、サイリスタ４３を介してバイバスされるため、スイッチング素子３はＯＦＦになりインバータ回路の発振は停止する。発振が停止しても、サイリスタ４３には抵抗４４を介して直流電源１から保持電流が流れ続けるので直流電源１を遮断するまでこの状態は保持されるので、放電灯６が異常放電を継続した状態で運転することを防止できるものである。なお、上記では放電灯６が正常放電でない場合の説明をしたが、放電灯１０が正常放電でない場合、及びいずれの放電灯も正常放電でない場合でも同様に異常放電を継続した状態で運転することを防止できる。
【００３２】
以上のように、複数の放電灯負荷回路Ｌ１、Ｌ２を備え、放電灯負荷回路Ｌ１、Ｌ２のチョークコイル５、９に各々設けた２次巻線５ｂ、９ｂに発生する電圧を各々ピーク間検出するピーク間電圧検出回路Ｐ１、Ｐ２と、このピーク間電圧検出回路Ｐ１、Ｐ２で検出されたピーク間検出電圧をワイヤードオアした電圧を制御電圧として電源投入時から放電灯６、１０の始動点灯に亘る期間、放電灯６、１０のフィラメントを流れる電流を制御する予熱タイマー回路Ｔ１０と、ピーク間電圧検出回路Ｐ１、Ｐ２で検出されたピーク間検出電圧をワイヤードオアした電圧が予め定めた値を越えたときに、インバータ回路のスイッチング素子２、３の発振を停止し、この発振停止状態を保持する保護回路Ｈ１と、を備えたので、ピーク間電圧検出回路Ｐ１、Ｐ２の検出電圧が予熱タイマー回路Ｔ１０と保護回路Ｈ１の共用の入力電圧となり、小型で安価にすることができる。
【００３３】
また、放電灯６または放電灯１０の寿命末期による故障などのためいずれかの一方の放電灯を抜去してもピーク間電圧検出回路Ｐ１、Ｐ２は各放電灯負荷回路Ｌ１、Ｌ２に対応して各々独立に設け、それらの出力をワイヤードオアした電圧でタイマ期間を制御しているので２灯の内、１灯を抜去した場合でも２灯が全て装着されている場合と同一の条件でタイマ期間を設定することができる。
【００３４】
また、放電灯６または放電灯１０の寿命末期による故障などのためいずれかの一方の放電灯を抜去してもピーク間電圧検出回路Ｐ１、Ｐ２は各放電灯負荷回路に対応して各々独立に設け、それらの出力をワイヤードオアした電圧を制御電圧としているので２灯の内、１灯を抜去した場合でも２灯が全て装着されている場合と同一の条件で異常点灯状態を検出することができる。
【００３５】
また、予熱タイマー回路Ｔ１０により、発振周波数の各駆動サイクル毎に予め定めたＴａの期間スイッチング素子３を確実にＯＮさせた後ゲート電流をバイバスしてＯＦＦに転じさせ発振周波数を大きくするので、予熱タイマ期間Ｔ１に放電灯６、１０をコールドスタートに至らない発振周波数で確実に発振継続することができる。
【００３６】
また、予熱タイマー回路Ｔ１０と保護回路Ｈ１の共用の入力電圧は、ピーク間電圧検出回路Ｐ１、Ｐ２の検出電圧としたので、放電灯６、１０の両極の放電状態を検出することができ、また、予熱タイマＴ１０のタイマ時間を利用して、保護回路Ｈ１の動作を遅延させているので、放電の異常状態が予熱タイマ時間に対応して継続したときに保護動作をさせることができ、保護動作の誤動作を防ぐことができる。
【００３７】
また、カップリングコンデンサ８、１２と放電灯６、１０の接続点に各々カソードが接続され、アノードが直流電源１の負極に各々接続されたダイオード１７、１９と、カップリングコンデンサ８、１２と放電灯６、１０の接続点にアノードが各々接続され、カソードが直流電源１の正極に各々接続されたダイオード１８、２０と、を備えたので、放電灯６、１０放電電流の非対称現象が生じた場合でも放電灯負荷回路Ｌ１、Ｌ２に流れる電流が増大しないようにし、電流増加による回路素子に不具合が生じるのを防止することができる。
【００３８】
なお、本実施の形態を示す図１では、放電灯負荷回路を２個接続する場合に付いて説明したがこれが１個接続または３個以上接続した場合でもよく、同様な効果が得られる。
【図面の簡単な説明】
【００３９】
【図１】この発明の実施の形態を示す放電灯点灯装置の回路図である。
【図２】この発明の実施の形態を示す放電灯点灯装置の動作特性図である。
【符号の説明】
【００４０】
１  直流電源、２、３  ＳＷ素子、５、９  チョークコイル、６、１０  放電灯、７、１１  コンデンサ、８、１２  カップリングコンデンサ、１７、１８、１９、２０  ダイオード、３１  コンデンサ、３９  トランジスタ、４１  ツェナーダイオード、４３  サイリスタ、Ｌ１、Ｌ２  放電灯負荷回路、Ｐ１、Ｐ２  ピーク間電圧検出回路、Ｔ１０  予熱タイマー回路、Ｈ１  保護回路。
【図１】
2005116454.tif 000003
【図２】
2005116454.tif 000004